(57)【特許請求の範囲】
【請求項１】
建物の躯体にサッシを取付けたサッシ取付構造において、
躯体にサッシ枠を固定するための間隙を外壁材とサッシ枠との間に形成し、その間隙を被覆するカバーをサッシ枠に着脱自在に設け、カバーを上下一対の上下カバー体と左右一対の左右カバー体とで構成し、上下左右カバー体の両端部を互いに当接することで矩形枠型形状とし、少なくともいずれか一箇所の隅部にカバーを間隙から外すために工具を挿入するための工具挿通孔を形成し、サッシ枠に形成したサッシ側係止片とカバーに形成したカバー側係止片とを係止し、サッシ側係止片をカバーの内側面に当接させるとともに、サッシ枠とカバーとの間に水密材を圧入して水密材によってカバー側係止片をサッシ側係止片へ向けて押圧したことを特徴とするサッシ取付構造。
【発明の詳細な説明】
【技術分野】
【０００１】
本発明は、建物の躯体にサッシを取付けるためのサッシ取付構造及びサッシ取付方法に関するものである。
【背景技術】
【０００２】
従来より、建物に窓を形成する場合には、建物の躯体に窓材としてのサッシを取付けている。そして、建物の躯体にサッシを取付けるときには、サッシ枠の外周に形成した固定片を建物の躯体にネジや釘などの締結具を用いて建物の外側から固定し、その後、建物の躯体に外壁材を取付け、この外壁材でサッシ枠と躯体とを固定する締結具を被覆し、最後に、サッシ枠と外壁材との間にシーリング剤などの水密材を充填している（たとえば、特許文献１参照。）。
【０００３】
【特許文献１】特開２００２−３８８２６号公報
【発明の開示】
【発明が解決しようとする課題】
【０００４】
ところが、上記従来のサッシの取付構造では、建物の躯体に取付けた外壁材でサッシ枠と躯体とを固定する締結具を被覆していたために、サッシ枠の損傷などによってサッシを交換する必要が生じた場合に、サッシ枠の周囲の外壁材を破壊してサッシ枠と躯体とを固定する締結具を露出させなければならず、サッシを交換した後に再び外壁材を建物の躯体に取付けなければならなかった。
【０００５】
このように、上記従来のサッシの取付構造では、サッシの交換に多大な労力、時間、費用を要するものであった。
【課題を解決するための手段】
【０００６】
そこで、請求項１に係る本発明では、建物の躯体にサッシを取付けたサッシ取付構造において、躯体にサッシ枠を固定するための間隙を外壁材とサッシ枠との間に形成し、その間隙を被覆するカバーをサッシ枠に着脱自在に設け、カバーを上下一対の上下カバー体と左右一対の左右カバー体とで構成し、上下左右カバー体の両端部を互いに当接することで矩形枠型形状とし、少なくともいずれか一箇所の隅部にカバーを間隙から外すために工具を挿入するための工具挿通孔を形成し、サッシ枠に形成したサッシ側係止片とカバーに形成したカバー側係止片とを係止し、サッシ側係止片をカバーの内側面に当接させるとともに、サッシ枠とカバーとの間に水密材を圧入して水密材によってカバー側係止片をサッシ側係止片へ向けて押圧することにした。
【発明の効果】
【０００８】
そして、本発明では、以下に記載する効果を奏する。
【０００９】
すなわち、本発明では、躯体とサッシ枠との固定部分を着脱自在のカバーで被覆することにしているために、サッシを交換する必要が生じた場合には、外壁材を破壊することなくカバーを外すだけで躯体からサッシ枠を取外すことができるので、サッシの交換に要する労力や時間や費用を低減することができる。
【００１０】
しかも、サッシ枠に形成したサッシ側係止片とカバーに形成したカバー側係止片とを係止させているために、カバーの脱落を防止することができ、カバーを装着した後の水密材の挿入作業を容易なものとすることができる。
【００１１】
さらに、カバー側係止片をサッシ側係止片へ向けて押圧するようにサッシ枠とカバーとの間に水密材を挿入しているために、水密材を挿入することによってカバーをサッシ枠に強固に係止させることができ、カバーの脱落やカバーとサッシ枠との間からの雨水の浸入を防止することができる。
【発明を実施するための最良の形態】
【００１２】
以下に、本発明に係るサッシ取付構造及びサッシ取付方法の具体的な構成について図面を参照しながら説明する。
【００１３】
図１は、建物（家屋）の躯体１にサッシ２を取付けた状態を示している。ここで、建物の躯体１は、上下に伸延させた柱３や間柱４や２本の間柱4,4の間に左右に伸延させた上下のまぐさ５や窓台６などから構成している。また、サッシ２は、矩形枠状のサッシ枠７の内部にガラス入りのサッシ障子8,8を左右にスライド自在に収容して構成している。図中、９はレンガやサイディングなどの外壁材である。
【００１４】
サッシ２は、図２及び図３に示すように、サッシ枠７の左右側部に鍔状に形成した固定片10を左右の間柱4,4にネジ（締結具）11を用いて固定するとともに、サッシ枠７の上下側部に鍔状に形成した固定片10を上下のまぐさ５及び窓台６にネジ11を用いて固定している。図中、12はサッシ2の内側に取付けられた額縁であり、13はプラスタボードや壁紙などからなる内装材である。
【００１５】
本発明では、図１〜図３に示すように、サッシ枠７と外壁材９との間に正面視で矩形枠状の間隙14を形成しており、この間隙14を利用して躯体１（間柱4,4、まぐさ５、窓台６）にサッシ枠７をネジ11で固定するとともに、この間隙14をサッシ枠７に着脱自在に取付けた矩形枠状のカバー15で被覆するようにしている。
【００１６】
カバー15は、サッシ枠７の上下側部に設けた上下一対の上下カバー体16,17とサッシ枠７の左右側部に設けた左右一対の左右カバー体18,19とで構成しており、上下左右カバー体16〜19の両端部を互いに当接する45度の傾斜面とすることで全体で矩形枠型形状になっている。
【００１７】
このカバー15には、間柱４と当接する当接片20を上下左右カバー体16〜19の外周側端部に内側へ向けて突出させて形成するとともに、サッシ枠７に着脱自在に係止する左右一対のカバー側係止片21,22を形成し、各カバー側係止片21,22の先端部に断面円形状の係止部23,24を形成している。
【００１８】
一方、サッシ２は、サッシ枠７の上下左右側部に断面視でＬ字状のサッシ側係止片25を形成し、サッシ側係止片25の先端部に断面円形状の当接部26を形成するとともに、サッシ側係止片25の中途部に断面円形状の係止部27を形成している。
【００１９】
そして、カバー15は、左右のカバー側係止片21,22の内側にサッシ側係止片25を当接部26がカバー15の内側面に当接するまで挿通させることで、カバー側係止片21,22の係止部23,24でサッシ側係止片25の係止部27を挟圧して係止するようになっている。
【００２０】
また、カバー15は、上下左右カバー体16〜19の両端部に切欠28をそれぞれ形成して、上下左右カバー体16〜19の両端部に４箇所の工具挿通孔29を形成している。この工具挿通孔29には、ゴムなどの弾性体からなる蓋材30を着脱自在に装着している。なお、工具挿通孔29は、カバー15の四隅に形成してもよく、また、いずれか1箇所の隅部に形成してもよい。
【００２１】
そして、本発明では、以下に説明するようにして建物の躯体１にサッシ２を取付けるようにしている。
【００２２】
まず、建物の躯体１にサッシ枠７を固定する。このときに、外壁材９とサッシ枠７との間に形成した間隙14から躯体１（間柱4,4、まぐさ５、窓台６）にサッシ枠７の固定片10をネジ11で固定する。なお、躯体１には、外側面に透湿防水シート34を貼着しておく。また、固定後にサッシ枠７の固定片10と躯体１とを防水テープ31で被覆する。この防水テープ31でネジ11の頭部も被覆する。
【００２３】
その後、サッシ枠７に上下左右カバー体16〜19をそれぞれ取付ける。これにより、外壁材９とサッシ枠７との間に形成された間隙14を前方からカバー15で被覆する。
【００２４】
このときに、左右のカバー側係止片21,22の内側にサッシ側係止片25を当接部26がカバー15の内側面に当接するまで挿通させて、サッシ側係止片25の係止部27にカバー側係止片21,22の係止部23,24を係止させる。これにより、サッシ枠７にカバー15が着脱自在に装着される。なお、サッシ側係止片25の左右両側をカバー側係止片21,22で係止しているために、カバー15の外部から内部へ通じる浸入路が蛇行状に長くなり、雨水などの浸入を防止することができる。
【００２５】
また、カバー15に形成した当接片20が防水テープ31及び透湿防水シート34を介して躯体１（間柱4,4、まぐさ５、窓台６）に当接するようにしている。これにより、カバー15の当接片20で防水テープ31が躯体１に押圧されることになり、防水テープ31の剥離が防止され、躯体１とサッシ枠７の固定片10との間から雨水などが浸入するのを防止することができる。
【００２６】
最後に、サッシ枠７とカバー15との間、及び、カバー15と外壁材９との間にバックアップ材32やシーリング剤33からなる水密材を挿入する。このときに、サッシ枠７とカバー15との間に水密材（バックアップ材32、シーリング剤33）を圧入して、水密材によってカバー15の内周端部に形成したカバー側係止片22をサッシ側係止片25へ向けて押圧するようにしている。
【００２７】
なお、建物の躯体１からサッシ２を取外す場合には、サッシ枠７とカバー15との間、及び、カバー15と外壁材９との間から水密材を除去し、カバー15に装着した蓋材30を外して工具挿通孔29から工具を挿入し、工具を用いてカバー15を構成する上下左右カバー体16〜19を順に外して間隙14を露出させ、この間隙14を利用してネジ11を外すことで躯体１（間柱4,4、まぐさ５、窓台６）からサッシ枠７を外す。
【００２８】
以上に説明したように、本発明に係るサッシ取付構造では、躯体１にサッシ枠７を固定するための間隙14を外壁材９とサッシ枠７との間に形成し、その間隙14を被覆するカバー15をサッシ枠７に着脱自在に設け、サッシ枠７に形成したサッシ側係止片25とカバー15に形成したカバー側係止片21,22とを係止するとともに、カバー側係止片22をサッシ側係止片25へ向けて押圧するようにサッシ枠７とカバー15との間に水密材（バックアップ材32、シーリング剤33）を挿入するように構成している。
【００２９】
そして、本発明に係るサッシ取付方法では、外壁材９とサッシ枠７との間に形成した間隙14から躯体１にサッシ枠７を固定した後に、外壁材９とサッシ枠７との間の間隙14をカバー15で着脱自在に被覆し、その後、サッシ枠７とカバー15との間に水密材（バックアップ材32、シーリング剤33）を挿入し、水密材（バックアップ材32、シーリング剤33）によってカバー15に形成したカバー側係止片22をこのカバー側係止片22に係止させるためにサッシ２に形成したサッシ側係止片25へ向けて押圧するようにしている。
【００３０】
このように、本発明では、躯体１とサッシ枠７との固定部分を着脱自在のカバー15で被覆しているために、サッシ２を交換する必要が生じた場合には、外壁材９を破壊することなくカバー15と水密材を外すだけで躯体１からサッシ枠７を取外すことができ、これにより、サッシ２の交換に要する労力や時間や費用を低減することができる。
【００３１】
しかも、本発明では、サッシ枠７に形成したサッシ側係止片25とカバー15に形成したカバー側係止片21,22とを係止させているために、カバー15の脱落を防止することができ、これにより、カバー15を装着した後の水密材（バックアップ材32、シーリング剤33）の挿入作業を容易なものとすることができる。
【００３２】
さらに、本発明では、カバー側係止片22をサッシ側係止片25へ向けて押圧するようにサッシ枠７とカバー15との間に水密材（バックアップ材32、シーリング剤33）を挿入しているために、水密材を挿入することによってカバー15をサッシ枠７に強固に係止させることができ、これにより、カバー15の脱落やカバー15とサッシ枠７との間からの雨水の浸入を防止することができる。
【００３３】
なお、本発明では、サッシ２の形態や材質などは限定されるものではなく、また、外壁材９についても、形態や材質などは限定されず、様々な厚みの外壁材９にも適用することができる。
【図面の簡単な説明】
【００３４】
【図１】本発明に係るサッシ取付構造を示す正面図。
【図２】同部分拡大平面断面図。
【図３】同部分拡大正面図。
【符号の説明】
【００３５】
１  躯体                              ２  サッシ
３  柱                                ４  間柱
５  まぐさ                            ６  窓台
７  サッシ枠                          ８  サッシ障子
９  外壁材                            10  固定片
11  ネジ                              12  額縁
13  内装材                            14  間隙
15  カバー                            16〜19  上下左右カバー体
20  当接片                            21,22  カバー側係止片
23,24  係止部                         25  サッシ側係止片
26  当接部                            27  係止部
28  切欠                              29  工具挿通孔
30  蓋材                              31  防水テープ
32  バックアップ材                    33  シーリング剤
34  透湿防水シート
【図１】
0004521044.tif 000002
【図２】
0004521044.tif 000003
【図３】
0004521044.tif 000004